(57)【特許請求の範囲】
【請求項１】
基端側を軸支され先端側がシャツターカーテン下端の昇降移動経路上に位置した水平姿勢とシャツターカーテンから離間した自重による垂下姿勢とに回動自在な検知バーと、該検知バーを水平姿勢に保持する保持具と、前記保持の解除に伴う検知バーの垂下姿勢への回動により報知手段を作動させるスイッチ機構とからなり、前記検知バーは降下したシャツターカーテン下端部による上方からの当接で水平姿勢保持が解除されて自重で下方に回動して垂下姿勢となってシャツターカーテンの通過を許容するように構成されていることを特徴とする建築用シャッターの降下検知装置。
【請求項２】
上記検知バーを磁性体で形成すると共に保持具を磁石体として、検知バーを磁力で水平姿勢に保持するようにしたことを特徴とする請求項1記載の建築用シャッターの降下検知装置。
【発明の詳細な説明】
【０００１】
【発明の属する技術分野】
本発明は、建築用シャツターの降下動作中に周囲に注意を喚起して人や物体がシャツターカーテンに挟まれたりする事故を未然に防止するシャツターカーテンの降下検知装置に係り、とりわけ既設のシャツターでも容易に設置することができ確実に作動する降下検知装置に関するものである。
【０００２】
【従来の技術および発明が解決しようとする課題】
一般に、建築用シャツターのなかには防火・防煙シャツターのように煙感知器等の火災検知に基づいてブレーキ解放装置のソレノイドを作動させシャツターカーテンを自重降下して開口部を閉鎖するようにしたものや、あるいはブレーキ解放装置に連携させた手動操作装置を設けて手動のブレーキ解放で降下するようにしたものがある。そしてこれら自重閉鎖するもの、とりわけ普段はシャツターカーテンを天井部に収納しておいて通路を確保し火災等の非常時に自動的に開口部を閉鎖して延焼を防止するようにした上記防火シャツターにおいては、移動するシャツターカーテンの昇降経路上に人や物体が存在すると挟まれる危険性があるばかりか、急いで避難する者にシャツターが降下中であることを知らしめて安全性の向上をはかる必要がある。このため例えば実開昭５５−２７７１０号公報に示されるように開閉機や開閉操作のハンドル部に設けたマイクロスイッチを作動させてブザー等の音声を発するようにしたものや、実開昭４８−９０８９号に示すようにシャツターカーテンの連結部に接触することにより作動する接点を設けて、これに接続した報知器でシャツターカーテンの移動を報知するようにしたものがある。
しかしこれらのものは、いづれもシャツターカーテンの昇降動作に基づいて周囲に音声等で報知して注意を喚起することができるものであるが、前者のものにおいては、シャツターケースの内部に設けられる開閉機や手動開閉装置のハンドル部に設けるものであるためその取り付けにあたっては、天井内部での作業が必要となったり手動開閉装置に加工をしたり交換するなど既設のシャツターに設置するためには非常に煩雑をきたすものであった。また、後者のものにあっては、シャツターカーテンの連結凸部に繰り返し接触させるものであるためシャツターカーテン面を傷つけたり接点部の疲労により故障したりして信頼性に欠ける問題を含むものであった。
【０００３】
【課題を解決するための手段】
本発明は、上記の如き実情に鑑みこれらの課題を解決することを目的として創作されたものであって、基端側を軸支され先端側がシャツターカーテン下端の昇降移動経路上に位置した水平姿勢とシャツターカーテンから離間した自重による垂下姿勢とに回動自在な検知バーと、該検知バーを水平姿勢に保持する保持具と、前記保持の解除に伴う検知バーの垂下姿勢への回動により報知手段を作動させるスイッチ機構とからなり、前記検知バーは降下したシャツターカーテン下端部による上方からの当接で水平姿勢保持が解除されて自重で下方に回動して垂下姿勢となってシャツターカーテンの通過を許容するように構成したものである。
また、上記検知バーを磁性体で形成すると共に保持具を磁石体として、検知バーを磁力で水平姿勢に保持するように構成したものであり、これによって本発明は、既設のシャツターにも手間を要することなく容易に取り付けることができしかも確実に報知手段を作動させることができるものである。
【０００４】
【発明の実施の形態】
つぎに、本発明の実施の形態を図面に基づいて説明する。
図１において、２はビル等に設けられる防火シャツター１のシャツターカーテンであり、該シャツターカーテン２は、常時は開閉機３の駆動に伴う巻き取りドラム４の正逆回転に基づいて開口部左右に立設したガイドレール１０にその端部を案内されて上下昇降動して開口部を開閉するが、停電時には、壁側に設けた手動操作装置６内のブレーキ解放レバーを操作することによりワイヤ７を介して開閉機３の下面に一体的に取り付けられたブレーキ解放装置５が開閉機３に内装されるブレーキ装置(図示せず)を解放することに伴って自重降下して開口部を閉鎖するものである。また、火災等の異常時においては、ブレーキ解放装置５が天井部に設けた火煙・火災報知器の信号を受けることによつてブレーキ装置を解放し自重降下して開口部を閉鎖するようになっている。
【０００５】
８は本発明に係る降下検知装置であって、該降下検知装置８は図２に示すように断面略ハット型の付座１１の上面１１ａに鉄等の磁性体で形成した検知バー１２がその基端側を支軸１３によって回動自在に軸支されている。１４は下面側に磁石体１４aが設けられた保持具であり、磁石体１４ａが検知バー１２の上面と磁着することにより検知バー１２をその磁力で水平姿勢(図２の実線で示す位置)に保持するように付座１１の上面１１ａに取り付けられている。
なお、検知バー１２は、水平姿勢に保持された状態においてその先端側が付座１１の端部よりも突出する長さに設定してある。
【０００６】
また、１５は、スイッチ機構であるマイクロスイッチであって、該マイクロスイッチ１５は、アクチュエーター１５ａが押された状態では接点が開いたＯFF状態、押されていない状態では接点が閉じたON状態となるよう構成されている。そして検知バー１２が保持具１４の磁力によって水平姿勢に保持された状態ではアクチュレーター１５ａは検知バー１２の上面で押圧されOFF状態に、また検知バー１２がその保持を解除されて支軸１３廻りに回動した垂下姿勢(図２の仮想線で示す位置)では押圧が解除されてON状態となるようにマイクロスイッチ１５が付座１１の上面１１ａに設けられている。
【０００７】
１６は、端子台であり、音や警報灯等の報知手段Ａに接続されたリード線１７とマイクロスイッチ１５のリード線１５ｂがそれぞれ結線され図４に示すようにマイクロスイッチ１５のＯＮ状態で報知手段Ａを作動させるように構成されている。１８は、カバーであって、ビス１９で付座１１の孔部１１ｂに上方から取り付けられるものである。
【０００８】
叙述のように構成した降下検知装置８は、図１に示すように巻き取りドラム４に巻き上げられたシャツターカーテン２の下端である座板９の僅か下方に検知バーの先端側が位置するようにして付座１１により壁等の躯体側に取り付け固定してある。
【０００９】
つぎに、降下検知装置８の作用を図２および図３に基づいて説明する。
図３は、降下検知装置８を取り付けた防火シャツターの縦断面を示すものであり(ａ)の通常時においては、シャツターカーテン２が完全に巻き上げられて開口部が解放されており、座板９の僅かに下方位置に降下検知装置８の検知バー１２の先端側が水平姿勢で設けられている。この状態で火災が発生すると図示しない火煙・火災報知器がこれを検知しシャツターのブレーキを解放することによりシャツターカーテン２は自重による降下を開始し座板９が検知バー１２の先端側に当接してこれを保持具１４の磁力に抗して押し下げることにより水平姿勢での保持が解除され検知バー１２は支軸１３を中心として自重で下方に回動し垂下姿勢となってシャツターカーテン２の通過を許容する。この時、検知バー１２がその保持を解除されて回動するとアクチュレーター１５ａが押圧状態から解放される結果、マイクロスイツチ１５がＯＮ状態となり図４の回路図に示すようにこれに接続された音や警報灯等の報知手段Ａを作動させることとなる。
【００１０】
また、降下検知装置８を復帰させるには、シャツターカーテン２を上方に巻き上げた後検知バー１２を支軸１３を中心として９０度上方に回動すれば保持具１４の磁力により検知バー１２は水平姿勢に保持されて元の状態となる。
【００１１】
なお、保持具１４は、検知バー１２を水平姿勢に保持しシャツターカーテン下端部による上方からの当接で容易にその保持が解除されるもので有れば良く、例えば対抗する板バネ間に突起を嵌入係止させるスプリングキャッチ等のものであっても良く、また、報知手段Ａを作動させるための電源Ｂは、降下検知装置８の内部にバッテリーを内蔵しても良く、さらには報知手段Ａをも組み込んだものとした場合には、コンパクト化され配線工事等も不要となつてその取り扱いが極めて簡便なものとなる結果、その設置も専門の取り付け業者に依頼する必要がなく取り付け費の削減に寄与することとなる。
また、本発明に係るシャツター降下検知装置８は防火・防煙シャツターのみならず必要に応じて一般の電動シャツターやパネルシャツター等にも適用できることは勿論である。
【００１２】
【発明の効果】
本発明に係るシャツター降下検知装置は叙述のように構成したので、巻き上げられたシャツターカーテン下端部の僅か下方位置でシャツターカーテン昇降経路上であるガイドレールに検知バーの先端側が位置するようにして壁等の躯体側に取り付ければよいので、その取り付けに当たっては、天井部内での作業をすることなく、またシャツター自体に特別な加工を加える必要が全く無く、従って既設のシャツターにも容易にしかも格別精度を要することなく設置することができるものである。
【００１３】
また、検知バーはシャツターカーテン下端の当接により自重で下方に回動してシャツターカーテンから離間した垂下姿勢となるので確実に作動し、その復帰作業も検知バーを９０度上方に回動させるのみでよいので容易に行うことが出来る。
【００１４】
さらに、保持具を磁石体とし検知バーを磁性体とした場合においては、磁力で保持されるため容易かつ確実にその解除が行えることとなり、検知動作を一層信頼性の高いものとすることができる。
【図面の簡単な説明】
【図１】  防火シャツターの概略説明斜視図である。
【図２】  降下検知装置の斜視図である。
【図３】  防火シャツターに取り付けた場合を示す降下検知装置の作用説明図である。
【図４】  降下検知装置の概略回路図である。
【符号の説明】
１    防火シヤツター
２    シヤツターカーテン
３    開閉機
８    降下検知装置
９    座板
１０    ガイドレール
１２    検知バー
１３    支軸
１４    保持具
１４ａ  磁石体
１５    マイクロスイツチ
１５ａ  アクチユエーター
１８    カバー
Ａ      報知手段
Ｂ      電源
【図１】
0003991175.tif 000002
【図２】
0003991175.tif 000003
【図３】
0003991175.tif 000004
【図４】
0003991175.tif 000005